(57)【要約】      （修正有）【課題】一時価値カードを使用するための方法を提供する。【解決手段】商品またはサービスを購入するためにプロバイダにより要求された、第１の価値が決定される。顧客は、一時価値カードを小売業者（ＰＯＳ）から購入するる。プロバイダにより要求される第１の価値が、一時価値カードに関係付けられる。第１の価値と引き換えに、顧客は一時価値カードを使用して、一時価値カードの第１の価値と引き換えに、プロバイダから商品またはサービスを購入する。【選択図】図１
2007188475.tif 000002
【特許請求の範囲】
【請求項１】
一時価値カードを使用するための方法において、
プロバイダからの商品またはサービスを選択したことに基づいて、第１の価値を決定することと、
一時価値カードをＰＯＳにおいて販売することと、
第１の価値を一時価値カードに関係付けることと
を含む方法。
【請求項２】
一時価値カードを使用して、第１の価値と引き換えに、プロバイダからの選択された商品またはサービスを購入することをさらに含む、請求項１記載の方法。
【請求項３】
プロバイダから商品またはサービスを購入する直前に、または、購入している間に、または、購入した直後に、ゼロ価値を一時価値カードに関係付けることをさらに含む、請求項２記載の方法。
【請求項４】
第１の価値を関係付けるのと同時に、有効期限日を一時価値カードに関係付けることをさらに含む、請求項３記載の方法。
【請求項５】
有効期限切れの一時価値カードからの識別子または口座番号を、新しい一時価値カードと新しい第１の価値とに関係付けることをさらに含む、請求項４記載の方法。
【請求項６】
一時価値カードに関係付けられた第１の価値に対して払戻を行うことをさらに含む、請求項１記載の方法。
【請求項７】
ＰＯＳにおいて追加的な価値を販売することと、
第１の価値に追加的な価値を加算して、合計価値を計算することと、
合計価値を一時価値カードに関係付けることと
をさらに含む、請求項１記載の方法。
【請求項８】
一時価値カードに関係付けられた第１の価値よりも低い価値の製品を販売することと、
一時価値カードに関係付けられた何らかの余剰価値に等しい払戻を行うことと、
ゼロ価値を一時価値カードに関係付けることと
をさらに含む、請求項１記載の方法。
【請求項９】
一時価値カードを使用するための方法において、
プロバイダからの商品またはサービスを選択したことに基づいて、第１の価値を決定することと、
一時価値カードを販売することと、
一時価値カードを起動することと、
ＰＡＮをプロバイダに送信することと
を含む方法。
【請求項１０】
カードを起動することは、仲介者に起動情報を送信することを含むことをさらに含む、請求項９記載の方法。
【請求項１１】
起動情報は、ＰＡＮを含まないことをさらに含む、請求項１０記載の方法。
【請求項１２】
起動情報は、特定の料金を含むことをさらに含む、請求項１１記載の方法。
【請求項１３】
起動情報は、製品の選択の前に、ＰＡＮに予め関係付けられていることをさらに含む、請求項１２記載の方法。
【請求項１４】
起動情報は、カードの起動の間に、ＰＡＮに関係付けられることをさらに含む、請求項１２記載の方法。
【請求項１５】
プロバイダがＰＡＮを受け付け、注文を完了したことを確認することをさらに含む、請求項１１記載の方法。
【請求項１６】
一時価値カードを使用するための方法において、
プロバイダからの商品またはサービスを選択したことに基づいて、第１の価値を決定することと、
一時価値カードを起動することと、
ＰＡＮをプロバイダに送ることと、
代償として提供される支払を受領すること、さもなければ、支払が代償として適切に提供されない場合に取引を無効にすることと
を含む方法。
【請求項１７】
プロバイダからの商品またはサービスを選択したことに基づいて、第１の価値を決定することは、
製品詳細の選択を行うことと、
選択された製品詳細および他の任意の関連したデータをプロバイダに送ることと、
注文を完了する前に、顧客から要求される特定の料金を決定することと、
特定の料金を顧客にアラートすることと
を含むことをさらに含む、請求項１６記載の方法。
【請求項１８】
製品を起動することは、
カードから起動情報を読み出すことと、
起動情報および特定の料金を仲介者に送信することと、
仲介者が起動情報の少なくともいくつかをＰＡＮに関係付けることと、
仲介者が特定の料金をＰＡＮに関係付けることと、
仲介者がＰＡＮおよび確認をキオスクまたは顧客に送ることと、
仲介者がすべての取引の記録を維持することと
を含むことをさらに含む、請求項１６記載の方法。
【請求項１９】
プロバイダにＰＡＮを送ることは、
ＰＡＮをプロバイダに送信することと、
プロバイダがＰＡＮを識別することと、
プロバイダが注文を完了することと、
プロバイダがすべての取引の記録を維持することと
を含むことをさらに含む、請求項１６記載の方法。
【請求項２０】
プロバイダからの商品またはサービスの選択に基づいて、第１の価値を決定することは、
製品詳細の選択を行うことと、
選択された製品詳細および他の任意の関連したデータをプロバイダに送ることと、
注文を完了する前に、顧客から要求される特定の料金を決定することと、
特定の料金を顧客にアラートすることと
を含み、
一時価値カードを起動することは、
カードから起動情報を読み出すことと、
起動情報および特定の料金を仲介者に送信することと、
仲介者が少なくともいくつかの起動情報をＰＡＮに関係付けることと、
仲介者が特定の料金をＰＡＮに関係付けることと、
仲介者がＰＡＮおよび確認をキオスクまたは顧客に送ることと、
仲介者がすべての取引の記録を維持することと
を含み、
ＰＡＮをプロバイダに送ることは、
ＰＡＮをプロバイダに送信することと、
プロバイダがＰＡＮを識別することと、
プロバイダが注文を完了することと、
プロバイダがすべての取引の記録を維持することと
を含むことをさらに含む、請求項１６記載の方法。
【発明の詳細な説明】
【関連出願】
【０００１】
米国特許第５，７７７，３０５号、第６，４２９，６１３号、および、米国特許出願第０９/６４１，３６３号は、参照により組み込まれている。
【発明の分野】
【０００２】
本発明はクレジットカード、デビッドカード、ギフトカードの分野に関連する。
【０００３】
さらに詳細には、本発明は一時カードに関連し、一時カードは、クレジットカードのいくつかの有益な特性を持つが、クレジットカードのいくつかの制限的な特性は持たない。例えば、一時カードは現金で（おそらくは、何らかの顧客情報を提供することなく）すぐに購入することができ、何らかの状況下において、購入のためにクレジットカードの代わりに使用されてもよい。
【発明の背景】
【０００４】
クレジットカードは、多くの目的に対して使用される。例えば、クレジットカードは、現金紙幣なしで商品またはサービスを購入するのに使用されてもよい。顧客はクレジットカードを使用して、チョコレートキャンディバーを購入してもよい。
【０００５】
さらに、クレジットカードは、信用スクリーニングツールとして使用されてもよい。商品またはサービスのプロバイダは、有効なクレジットカードを有している顧客から、小額の預託金を受け入れてもよい（または、何らかの預託金を要求しなくてもよい）。さらに、クレジットカードは、月極めセルラ電話サービスのような、将来の定期的な請求書発行を必要とする任意の購入を促進する。さらに、プロバイダまたはマーチャントは、ある取引に対して、現金を受け入れることを望まないかもしれず、または、受け入れることができないかもしれない。他の形態の支払に比べて、現金紙幣は、盗難の可能性と現金紙幣を取り扱う高い取引コストとのために、一般的に危険で費用がかかると考えられている。
【０００６】
一般的に、自動化されたクレジットカード取引は、商店の認証端末（ＰＯＳすなわちポイントオブセール）において、開始し、終了する。クレジットカード販売に対する一般的なステップは、下記のものを含む。
【０００７】
・マーチャントが磁気ストリップ上にコード化された口座番号および有効期限日を読み出す（このデータは一般的にカード上にもエンボス加工されている）。
【０００８】
・口座番号および有効期限日が購入金額に関係付けられる。
【０００９】
・データがマーチャントの銀行に送信される。
【００１０】
・データは顧客のクレジットカードを発行したいずれかの銀行に（通信ネットワークを通して）転送される。
【００１１】
・カード発行銀行は、適切な口座を呼び出し、内容、特に未払の残高と（利用可能なクレジットを決定する）カードのクレジット限度額とをチェックする。
【００１２】
・カード発行銀行は、付加的情報を考慮して、（不正使用を減少させるために）取引が許可されるべきかどうか決定してもよい。
【００１３】
・要求が承認された（取引が許可された）場合、カード発行銀行は、認可コードを使用してマーチャントに知らせ、カード発行銀行は、即座に新しい残高をデータベースに記憶させる。
【００１４】
・最終的に、マーチャントは認可コードを受け取り、販売は完了する。
【００１５】
代わりに、クレジットカードサービス（例えば、ＶＩＳＡ（登録商標））は、多くの異なる銀行からの記録を１つの中央データベースにまとめてもよく、要求を上記の取引に対する銀行のエージェントまたは仲介者として取り扱ってもよい。
【００１６】
さらに、小規模の取引に対しては、迅速化され、省略された手続きが便利であるかもしれない。例えば、マーチャントまたはクレジットカードサービスは、単に口座番号を有効な口座番号のリストに対して比較するだけでよい。また、署名の要求は、小額取引に対して控えてもよい。小額アイテムに対する購入取引をかなり高速化することの商業的利点は、小額損失の数が増加することによる不利益より重要である。
【００１７】
カード発行銀行が顧客の口座の価値を、単に、購入の価値だけすぐに減少させることになる点を除いて、デビットカードも同様に機能する。
【００１８】
購入取引がオンラインで起こる場合、一般的に、不正使用を減少させるための付加的セキュリティ手段としてクレジットカード裏面からＣＶＶ（カード確認値）が要求される。
【００１９】
しかしながら、クレジットカードはある制限を持っている。クレジットカードを取得するには、時間と労力がかかる。ある人々（または会社）は、乏しい信用のためにクレジットカードを取得することができないかもしれない。ある人々は、クレジットカードを持っているが、未払残高の高利率を避けるために、クレジットカードの使用を避けたいと望むかもしれない。ある人々は、クレジットカードを持っているが、望む購入を行うために十分な、利用可能な信用は持っていないかもしれない。ある人々は、クレジットカードを持っているが、クレジットカードを購入にリンクする課金追跡を作成させることなく、購入することを望むかもしれない（例えば、夫は彼の妻の誕生日のために宝石のサプライズギフトを購入することを望むかもしれない）。さらに、一般的なクレジットカードを取得することは、かなりの時間、労力、および、取引費用を要求することが多い。
【００２０】
したがって、現金ですぐ購入することができ、何らかの環境下で購入のためにクレジットカードの代わりに使用することができる、一時カードに対する要求がある。さらに、一時カードを提供し、処理するために適用されるシステムに対する要求がある。
【発明の概要】
【００２１】
いくつかの実施形態では、一時カードは３つの要素、クレジットカード番号（または、ＰＡＮとしても知られている個人口座番号）、有効期限日（ＥＸＰ）、および、ＣＶＶ（カード確認値）を持っていてもよい。産業界標準のクレジットカード番号は１６桁であり、「ｍｏｄ ｌｕｎ １０」テストを通過しており、１６番目の桁が確認または認証のために使用されることに留意すべきである。歴史的に、ＰＡＮは１３から１９桁を有し、第１の桁はクレジットカードサービスを識別する（例えば、第１の桁の４はＶＩＳＡを識別する）。ＣＶＶは、付加的なレベルのセキュリティを提供するのに使用され、一般的にカードの裏面に印刷された３桁からなる。これらの３つの要素（ＰＡＮ、ＥＸＰ、ＣＶＶ）により、インターネット上での購入が通常行われる。実際の商店における直接の購入は、物理的なカード上に存在する（通常は磁気ストリップ上に存在する）、これらの３つの要素のうちの２つ（ＰＡＮおよびＥＸＰ）だけを一般的に要求する。
【００２２】
下記の要素は、一時カードのさまざまな実施形態では一般的に要求されないが、商業クレジットカードでは一般的に見受けられる。磁気ストリップ、エンボス加工されたデータ（一般的に、クレジットカード番号、有効期限日、顧客の名前）、主要クレジットカードサービス（一般的に、ＶＩＳＡ、または、ＭＡＳＴＥＲＣＡＲＤ（登録商標））のロゴ、特定のクレジットカードプロバイダ（例えば、銀行ＡＢＣ）の名称、（顧客の署名のための）署名ストリップ、ホログラムのような偽造対策セキュリティ措置、および、付加的な印刷されたデータ。
【００２３】
カードは口座に関係付けられたしるしを含んでいる情報記憶デバイスであってもよく、磁気ストリップ、光学的読み出し可能しるし、エンボス加工されたしるし、および／または、電子回路を備えるデバイスを含んでいてもよい。また、口座は関係付けられた価値を持っていてもよく、顧客の名前および住所のような関係付けられた個人情報を持っていてもよい。起動の前に、カードは（例えば、磁気ストリップ上に）記憶された起動情報を持っていてもよい。起動情報は、シリアル番号または識別子、一般的に５文字のコード、および他の情報を含んでいてもよい。そのような起動情報は、ＰＡＮに予め関係付けられていてもよく、（起動時において、カードが、印刷された、または、エンボス加工されたＰＡＮを持っていない場合）起動時において、ＰＡＮに関係付けされてもよい。
【００２４】
本発明のいくつかの実施形態では、カードは起動の前に、（カードに印刷された、または、その磁気ストリップに記憶された、または、他の方法で記憶された）ＰＡＮを持っていないかもしれない。起動の後、ＰＡＮがカード上に印刷されてもよく、または、磁気ストリップ上に記憶されてもよく、または、領収書に印刷されてもよい。
【００２５】
いくつかの実施形態では、顧客はプロバイダから商品またはサービスを購入することを望むかもしれないが、プロバイダは現金を受け付けないかもしれない。顧客は小売業者から一時カードを購入するのに現金を使用してもよく、この場合、一時カードはプロバイダにより要求される金額にちょうど等しい関係付けられた価値を持っている。顧客は一時カードを使用して、プロバイダから製品またはサービスを購入してもよい。一時カードは特定のプロバイダに結びつけられていてもよく、または、汎用、すなわち、複数のプロバイダに対して使用可能であってもよい。購入後、一時カードは、それに関係付けられたゼロ価値を持っていることがある。例えば、カードに関係付けられたすべての価値がプロバイダから商品またはサービスを購入するのに使用されているかもしれない。いくつかの実施形態では、カード残高がゼロへと使い尽くされるまで、一時カードは複数の商品またはサービスを購入するのに使用することができる。一度価値が使い尽くされると、カードはさらに購入を行うことが不可能になり、破棄してもよい。
【００２６】
いくつかの実施形態では、一時カードは購入を実行するのに十分な価値を持っていない場合、一時カードは払戻のために返却されてもよい。同様に、一時カードが購入後に残っている超過価値を有する場合、一時カードは超過価値の払戻のために返却されてもよい。
【００２７】
いくつかの実施形態では、特定の製品またはサービスに対するマーチャントへの支払に関するすべてのデータ送信が、対応する購入のためのＰＯＳ（ポイントオブセール）において取り扱われてもよい。
【００２８】
いくつかの実施形態では、注文アプリケーション（例えば、キオスク）が支払のいくつかの観点を取り扱ってもよく、それはＰＯＳシステムとの対話に関係していても、していなくてもよい。キオスクは、以下のものを有する少なくとも１つの小売スタンドまたはブースを含んでいてもよいが、これらに限定されるわけではない。少なくとも一人の生の販売員がいる実際のブース、（例えば、ＡＴＭと同様の）専用コンピュータ端末、汎用コンピュータ端末、任意のコンピュータシステム、または、インターネット上の仮想サイト。さらに、キオスクは小売商店の中、または、ショッピングセンターの中、または、空港や公園のような公共の場所に位置していてもよい。キオスクは、（例えば、フィルム現像のような）単一のサービスまたは製品を販売するのに適応されていてもよく、（例えば、フィルム現像、セルラ電話サービス、テレビジョンプログラムサービスのような）複数のサービスまたは製品を販売するのに適応されていてもよい。
【００２９】
用語「顧客」は、キオスク、コンピュータ、または、他のＰＯＳから製品および／またはサービスを購入する（または、購入する意思のある）１以上の人またはエンティティを指す。
【００３０】
用語「アソシエート」は、（名詞として使用されるとき）、小売業者販売員を指す。
【００３１】
用語「製品」は、プロバイダから購入される１以上の商品および／またはサービスを指す。プロバイダは製品を直接提供してもよく、または、商品またはサービスに対する仲買業者として働いてもよい。
【００３２】
顧客は例えば、小売業者のＰＯＳ（ポイントオブセール）において、小売業者から一時カードを購入してもよい。
【００３３】
いくつかの実施形態では、一時カードは少なくともクレジットカード番号（または個人口座番号すなわちＰＡＮ）および有効期限日（ＥＸＰ）を持っていてもよい。
【００３４】
いくつかの実施形態では、一時カードは関係付けられたクレジットカード番号（または個人口座番号すなわちＰＡＮ）および有効期限日（ＥＸＰ）、とともにＣＶＶ（カード確認値）を持っていてもよい。
【００３５】
いくつかの実施形態では、一時価値カードを使用するための方法は、いくつかのステップを含む。プロバイダからの商品またはサービスを選択したことに基づいて、第１の価値が決定される。例えば、顧客はケーブルテレビジョンプロバイダから１組のチャネルを選択してもよく、ケーブルテレビジョンプロバイダは、設置料金および設置が予定されている以前に支払われるべき第１月分を要求してもよい。一時価値カードがＰＯＳにおいて販売される。第１の価値が一時価値カードに関係付けられる。
【００３６】
いくつかの実施形態では、一時価値カードを使用するための方法は他のステップを含む。プロバイダからの商品またはサービスを選択したことに基づいて、第１の価値が決定される。一時価値カードが販売される。一時価値カードが起動される。ＰＡＮがプロバイダに送信される。
【００３７】
いくつかの実施形態では、一時価値カードを使用するための方法は異なるステップを含む。プロバイダからの商品またはサービスを選択したことに基づいて、第１の価値が決定される。一時価値カードが起動される。ＰＡＮがプロバイダに送られる。代償として提供される支払が受領されるか、さもなければ、支払が代償として適切に提供されない場合に取引が無効にされる。
【実施形態の詳細な説明】
【００３８】
図１は、プロバイダにより要求された正確な価値に等しい初期価値を持っている一時カードを購入するための一つの実施形態を示しているフローチャート１００である。
【００３９】
ブロック１１０では、商品またはサービスを購入するためにプロバイダにより要求される正確な価値が決定される。例えば、顧客はプロバイダからキオスクにおいてテレビジョンサービスまたは電話サービスを購入することを望んでいてもよい。キオスクは、現金を受け付けなくてもよく、または顧客はクレジットカードを持っていなくてもよい。さらに、プロバイダはいくらかの預託金を即座に要請（または要求）してもよく、あるいは、特定の商品またはサービスに対して全額での支払を即座に要請してもよい。
【００４０】
ブロック１２０において、顧客は、一時カードを小売業者から購入し、プロバイダにより要求される正確な価値が、一時カードに関係付けられる。小売業者は、プロバイダにより要求された正確な価値に加えて、取引手数料を請求してもよい。ブロック１３０において、顧客は一時カードを使用して、一時カードの正確な価値と引き換えに、プロバイダからの商品またはサービスを購入する。ブロック１４０において、一時カードは、購入により、関係付けられた価値をゼロに減少させ、破棄されてもよい。ブロック１５０において、一時カード番号（ＰＡＮ）は、例えば、有効期限日が経過した後、再使用されてもよい。
【００４１】
図２は、一時カードを購入するための１つの実施形態を示し、一時カードの価値が、プロバイダにより要求される正確な価値に等しくないときに起こることを図解しているフローチャートである。フローチャート２００では、ブロック２１０において、顧客は小売業者から一時カードを購入する。ブロック２２０において、顧客は一時カードを使用して、プロバイダから商品またはサービスを購入しようとする。ブロック２２０からの少なくとも３つの可能性のある分岐がある。
【００４２】
第１に、ブロック２３０において、一時カードが、小売業者により要求される正確な価値（プロバイダ価格）よりも低い、関係付けられた価値を有している場合、関係付けられた価値の欠如のために購入は失敗するだろう。続くブロック２３２において、顧客は一時カードを小売業者に返却し、払戻を受けてもよく、またはそうでなく、価値を加えて、もう一度購入を試みてもよい。
【００４３】
第２に、ブロック２４０において、一時カードの関係付けられた価値が小売業者により要求される正確な価値（プロバイダ価格）にちょうど等しい場合、購入は成功する。購入の間、または、ほぼ購入の間に、一時カードに関係付けられた価値がゼロに減少（「ゼロ化」）されてもよい。ブロック２４２において、一時カードは破棄されてもよく、一時カード番号は再使用されてもよい。いくつかの実施形態では、カード番号は、有効期限日後にのみ再使用される。
【００４４】
第３に、ブロック２５０において、一時カードの関係付けられた価値が、プロバイダにより要求される正確な価値（プロバイダ価格）より高い場合、購入は成功する。購入の間、または、ほぼ購入の間に、一時カードに関係付けられた価値はプロバイダ価格だけ減少され、余剰の価値は一時カードに関係付けられたままにされる。ブロック２５２において、顧客は一時カードを小売業者に返却してもよい。顧客は一時カードに関係付けられたままである超過価値と等しい払戻を受けてもよい。
【００４５】
図３Ａ−３Ｃは、一時カードを購入するための１つの実施形態の詳細なプロセスフローチャートを示し、この場合、データはＰＯＳにより送信される。
【００４６】
図３Ａに示されるように、ブロック３１０−３１８は、キオスクにおいて起きてもよい。ブロック３１０において、顧客はプロバイダから製品（商品および／またはサービス）を購入することを決定する。ブロック３１２において、顧客は製品の詳細を選択する。顧客は名前および住所のような付加的情報も提供してもよい。
【００４７】
ブロック３１４において、製品データおよび顧客データがプロバイダに送られる。
【００４８】
ブロック３１６において、プロバイダは販売完了の前に顧客から即座に要求される特定の料金を決定する。プロバイダは（例えば、顧客の信用格付のような）他のソースからの付加的な情報を考慮してもよく、プロバイダは後でさらなる支払を要求してもよい。ブロック３１８において、注文を処理するために特定の料金が即座に要求されることが顧客に告げられる。オプション的に、アソシエート（例えば、小売業者店員）は、この取引の間に手伝ってもよい。
【００４９】
ブロック３２０−３２８は、小売業者のＰＯＳ（ポイントオブセール）、または、別の場所で起きてもよい。ブロック３２０において、顧客は小売業者ＰＯＳへ行く。オプション的に、アソシエートがＰＯＳまで顧客に付き添ってもよい。キオスクとＰＯＳは、同一コンピュータにおける、単なる別プログラムまたはスクリーンであってもよく、したがって、「小売業者ＰＯＳに行く」ことは、支払取引を実行するためにスクリーンまたはメニューを単に呼び出すことを意味していてもよい。言い換えると、キオスクおよびＰＯＳは、同一の物理的ユニットであってもよいが、機能的にそれらは異なるエンティティ（例えば、異なるサブプログラム）である。
【００５０】
ブロック３２２において、顧客は特定の料金をＰＯＳに支払う。支払は、現金で行われてもよい。小売業者は特定の料金に加えて、および、特定の料金とは別に、取引または取扱手数料を請求してもよい。
【００５１】
ブロック３２６において、ＰＯＳはカード起動情報と特定の料金とを仲介者に、または、直接プロバイダに送信する。
【００５２】
ブロック３２８において、ＰＯＳはカードＰＡＮを顧客に送信し、オプション的に顧客領収書上にバーコード（または、カードＰＡＮに関係付けられた、自動的に読み出し可能な他のしるし）を印刷してもよい。オプション的に、カードＰＡＮまたは読み出し可能なしるしは、カード磁気ストリップ上に記憶させてもよく、または、他の方法でカード上に記憶させてもよい。
【００５３】
図３Ｂに示されるように、ブロック３３０および３３２は、仲介者において起きる。ブロック３３０において、仲介者はカードを起動し、要求された特定の料金で資金を関係付け、または、認証する。資金を認証することは、資金を口座ＰＡＮに関係付けることを含んでいてもよい。
【００５４】
ブロック３３２において、仲介者は、後の請求書発行および一致（reconciliation）のために、すべての取引の記録を維持する。取引を促進するために、仲介者は小売業者からまたはプロバイダから、個別に取引の支払を受領してもよいことに留意すべきである。
【００５５】
ブロック３４０−３４８は、キオスクにおいて起きる。ブロック３４０において、顧客はキオスクに戻る。このキオスクへと「戻る」ことは、単に、他のスクリーンまたはプログラムにアクセスすることを意味する。オプション的に、アソシエートが顧客に付き添ってキオスクに戻ってもよい。
【００５６】
ブロック３４２において、顧客は注文プロセスで前に進む。オプション的に、顧客が特定の料金を支払う意思があることをアソシエートが確認する。
【００５７】
ブロック３４４において、顧客はカードＰＡＮを（オプション的にバーコードまたは類似のしるしをスキャニングすることにより）キオスクに送信し、キオスクはプロバイダにカードＰＡＮを送出する。
【００５８】
ブロック３４６において、注文は完了される。オプション的に、確認がキオスクにより印刷される。
【００５９】
ブロック３４８において、小売業者は後の請求書発行および一致のために、すべての取引の記録を維持する。
【００６０】
ブロック３６０および３６２は、販売後の顧客に関して起こるアクションに関連する。ブロック３６０において、顧客は特定の料金に対する領収書およびオプション的に注文確認を持って小売業者を出る。
【００６１】
ブロック３６２において、顧客はプロバイダとの問い合わせ、返品、配達を管理する。
【００６２】
図３Ｃでは、ブロック３５０および３５２はプロバイダに関連する。ブロック３５０において、プロバイダはカードＰＡＮを有効であるとして識別し、注文が進むのを許可する。
【００６３】
ブロック３５２において、プロバイダは後の請求書発行および一致のために、すべての取引の記録を維持する。
【００６４】
図４Ａおよび４Ｂは、一時カードの購入に対する１つの実施形態の詳細なプロセスフローチャートを示し、この場合、データがキオスクによって送信される。
【００６５】
図４Ａに示されるように、ブロック４１０−４２６は、キオスクにおいて起きる。ブロック４１０において、キオスクにおいて顧客はプロバイダから製品（商品および／またはサービス）を購入することを決定する。
【００６６】
ブロック４１２において、顧客は製品詳細を選択する。顧客は名前および住所のような付加的情報を提供してもよい。
【００６７】
ブロック４１４において、製品データおよび顧客データがプロバイダに送られる。
【００６８】
ブロック４１６において、プロバイダは顧客から（プロバイダが注文を受け付ける前に）即座に要求される特定の料金を決定する。後で追加的な請求書発行もあるかもしれない。例えば、月極めサービス料金が後続する、即座の配達または設置料金があるかもしれない。
【００６９】
ブロック４１８において、キオスク（またはアソシエート）は、注文を処理するために要求される特定の料金を顧客にアラートしてもよい。
【００７０】
ブロック４２０において、現金で支払う意思のあることを顧客はキオスクに対して（または、アソシエートに対して）確認する。
【００７１】
ブロック４２２において、アソシエートは、キオスクから「現金での支払」を選択する。ブロック４２４において、アソシエートはカード（一般的に磁気ストリップ）をスキャンしてキオスクに入れる。
【００７２】
ブロック４２６において、キオスクは、（ＰＡＮではない）カード起動情報と特定の料金とを仲介者に送信する。
【００７３】
ブロック４３０ないし４３４は、仲介者において起きる。ブロック４３０において、仲介者は少なくともいくつかのカード起動情報をＰＡＮに関係付け、そして、特定の料金または要求された金額を関係付けまたは認証する。カード起動情報は、シリアル番号または類似の識別しるし、５文字を有するコード、および、他の情報を含んでいてもよい。代わりに、起動情報はＰＡＮに予め関係付けられていてもよく、起動は特定の料金をＰＡＮに関係付けてもよい。
【００７４】
ブロック４３２において、仲介者は、（オプション的に暗号化およびマスキングを伴って）確認とＰＡＮをキオスクに送る。
【００７５】
ブロック４３４において、仲介者は後の請求書発行および一致のために、すべての取引の記録を維持する。
【００７６】
図４Ｂに示されるように、ブロック４４０−４４４はキオスクにおいて起きる。ブロック４４０において、キオスクはプロバイダにＰＡＮを送って、特定の料金の支払を処理する。
【００７７】
ブロック４４２において、顧客は（オプション的に小売業者アソシエートからの手伝いにより）プロバイダからの注文を完了する。
【００７８】
ブロック４４４において、キオスクは特定の料金に関係付けられたバーコードを印刷し、オプション的に、バーコードは価値を組み込んでいてもよい。
【００７９】
ブロック４５０は、ＰＯＳにおいて起きる。ブロック４５０において、ＳＫＵと金額がＰＯＳに入力され、現金取引が代償として行われ、記録される。プロバイダに対する特定の料金に加えて、小売業者、および／または、仲介者に対する付加的な取引または取扱手数料が要求されてもよい。
【００８０】
ブロック４６０および４６２は、小売業者に関連する。ブロック４６０において、小売業者は後の請求書発行および一致のために、すべての取引の記録を維持する。ブロック４６２において、顧客が支払わない場合、キオスクにおける以前の取引は無効にされる。
【００８１】
ブロック４７０および４７２は、プロバイダに関連する。ブロック４７０において、プロバイダはＰＡＮを（オプション的にＶＩＳＡタイプのカードＰＡＮとして、または、リテイラーキャッシュカードＰＡＮとして）識別し、注文が進むのを許可する。ブロック４７２において、小売業者は後の請求書発行と一致のために、すべての取引の記録を維持する。
【００８２】
ブロック４８０および４８２は、顧客に関連する。ブロック４８０において、顧客は特定の料金に対する領収書と注文確認とを持って商店を出てもよい。ブロック４８２において、顧客はプロバイダとの設置、サービス問い合わせ、および、返品を管理する。
【００８３】
本発明の実施形態の範囲はここで説明した特定の実施形態により限定されない。実際、ここで説明したものに加えて、本発明の実施形態のさまざまな修正は、上記の説明および添付の図面から当業者に明らかになるだろう。例えば、さまざまなブロックは省略または再順序付けされてもよい。したがって、そのような修正は添付の特許請求の範囲の範囲内に入ることが意図されている。
【００８４】
さらに、本発明の実施形態は特定の目的に対する特定の環境での特定の実施の状況で、ここで説明したが、その利便性はこれらのものに制限されることなく、本発明の実施形態は任意の数の目的に対する任意の数の環境で有益に実施できることを当業者は理解するだろう。したがって、記述している特許請求の範囲はここで開示した本発明の実施形態の最も広い視点と精神に基づいて解釈されるべきである。
【図面の簡単な説明】
【００８５】
【図１】図１は、本発明の実施形態にしたがった、一時カードを購入するための例示的な方法を図解するフローチャートを示し、この場合、一時カードの初期価値はプロバイダによって要求された正確な価値と等しい。
【図２】図２は、本発明の実施形態にしたがった、一時カードを購入するための他の例示的な方法を図解するフローチャートを示し、この場合、一時カードの初期価値はプロバイダによって要求された正確な価値と必ずしも等しくない。
【図３Ａ】図３Ａは、本発明の実施形態にしたがった、一時カードを購入するための例示的な方法を図解する第１の部分のプロセスフローチャートを示し、この方法はＰＯＳデバイスによるデータの送信を含む。
【図３Ｂ】図３Ｂは、本発明の実施形態にしたがった、一時カードを購入するための例示的な方法を図解する第２の部分のプロセスフローチャートを示し、この方法はＰＯＳデバイスによるデータの送信を含む。
【図３Ｃ】図３Ｃは、本発明の実施形態にしたがった、一時カードを購入するための例示的な方法を図解する第３の部分のプロセスフローチャートを示し、この方法はＰＯＳデバイスによるデータの送信を含む。
【図４Ａ】図４Ａは、本発明の実施形態にしたがった、一時カードを購入するための例示的な方法を図解する第１の部分のプロセスフローチャートを示し、この方法はキオスクによるデータの送信を含む。
【図４Ｂ】図４Ｂは、本発明の実施形態にしたがった、一時カードを購入するための例示的な方法を図解する第２の部分のプロセスフローチャートを示し、この方法はキオスクによるデータの送信を含む。
【図１】
2007188475.tif 000003
【図２】
2007188475.tif 000004
【図３Ａ】
2007188475.tif 000005
【図３Ｂ】
2007188475.tif 000006
【図３Ｃ】
2007188475.tif 000007
【図４Ａ】
2007188475.tif 000008
【図４Ｂ】
2007188475.tif 000009
【手続補正書】
【提出日】平成19年3月15日(2007.3.15)
【手続補正１】
【補正対象書類名】特許請求の範囲
【補正対象項目名】全文
【補正方法】変更
【補正の内容】
【特許請求の範囲】
【請求項１】
一時価値カードを使用するための方法において、
プロバイダデバイスから商品またはサービスを選択したことに基づいて、第１の価値を決定することと、
一時価値カードをＰＯＳにおいて販売することと、
第１の価値を一時価値カードに関係付けることと
を含む方法。
【請求項２】
一時価値カードを使用して、第１の価値と引き換えに、プロバイダデバイスから選択された商品またはサービスを購入することをさらに含む、請求項１記載の方法。
【請求項３】
プロバイダデバイスから商品またはサービスを購入する直前に、または、購入している間に、または、購入した直後に、ゼロ価値を一時価値カードに関係付けることをさらに含む、請求項２記載の方法。
【請求項４】
第１の価値を関係付けるのと同時に、有効期限日を一時価値カードに関係付けることをさらに含む、請求項３記載の方法。
【請求項５】
有効期限切れの一時価値カードからの識別子または口座番号を、新しい一時価値カードと新しい第１の価値とに関係付けることをさらに含む、請求項４記載の方法。
【請求項６】
一時価値カードに関係付けられた第１の価値に対して払戻を行うことをさらに含む、請求項１記載の方法。
【請求項７】
ＰＯＳにおいて追加的な価値を販売することと、
第１の価値に追加的な価値を加算して、合計価値を計算することと、
合計価値を一時価値カードに関係付けることと
をさらに含む、請求項１記載の方法。
【請求項８】
一時価値カードに関係付けられた第１の価値よりも低い価値の製品を販売することと、
一時価値カードに関係付けられた何らかの余剰価値に等しい払戻を行うことと、
ゼロ価値を一時価値カードに関係付けることと
をさらに含む、請求項１記載の方法。
【請求項９】
一時価値カードを使用するための方法において、
プロバイダデバイスから商品またはサービスを選択したことに基づいて、第１の価値を決定することと、
一時価値カードを販売することと、
一時価値カードを起動することと、
ＰＡＮをプロバイダデバイスに送信することと
を含む方法。
【請求項１０】
カードを起動することは、仲介デバイスに起動情報を送信することを含む、請求項９記載の方法。
【請求項１１】
起動情報は、ＰＡＮを含まない、請求項１０記載の方法。
【請求項１２】
起動情報は、特定の料金を含む、請求項１１記載の方法。
【請求項１３】
起動情報は、製品の選択の前に、ＰＡＮに予め関係付けられている、請求項１２記載の方法。
【請求項１４】
起動情報は、カードの起動の間に、ＰＡＮに関係付けられる、請求項１２記載の方法。
【請求項１５】
プロバイダデバイスがＰＡＮを受け付け、注文を完了したことを確認することをさらに含む、請求項１１記載の方法。
【請求項１６】
一時価値カードを使用するための方法において、
プロバイダデバイスから商品またはサービスを選択したことに基づいて、第１の価値を決定することと、
一時価値カードを起動することと、
ＰＡＮをプロバイダデバイスに送ることと、
代償として提供される支払を受領すること、さもなければ、支払が代償として適切に提供されない場合に取引を無効にすることと
を含む方法。
【請求項１７】
プロバイダデバイスから商品またはサービスを選択したことに基づいて、第１の価値を決定することは、
製品詳細の選択を行うことと、
選択された製品詳細および他の任意の関連したデータをプロバイダデバイスに送ることと、
注文を完了する前に、顧客から要求される特定の料金を決定することと、
特定の料金を顧客にアラートすることと
を含む、請求項１６記載の方法。
【請求項１８】
一時価値カードを起動することは、
カードから起動情報を読み出すことと、
起動情報および特定の料金を仲介デバイスに送信することと、
仲介デバイスが起動情報の少なくともいくつかをＰＡＮに関係付けることと、
仲介デバイスが特定の料金をＰＡＮに関係付けることと、
仲介デバイスがＰＡＮおよび確認をキオスクまたは顧客に送ることと、
仲介デバイスがすべての取引の記録を維持することと
を含む、請求項１６記載の方法。
【請求項１９】
プロバイダデバイスにＰＡＮを送ることは、
ＰＡＮをプロバイダデバイスに送信することと、
プロバイダデバイスがＰＡＮを識別することと、
プロバイダデバイスが注文を完了することと、
プロバイダデバイスがすべての取引の記録を維持することと
を含む、請求項１６記載の方法。
【請求項２０】
プロバイダデバイスから商品またはサービスを選択したことに基づいて、第１の価値を決定することは、
製品詳細の選択を行うことと、
選択された製品詳細および他の任意の関連したデータをプロバイダデバイスに送ることと、
注文を完了する前に、顧客から要求される特定の料金を決定することと、
特定の料金を顧客にアラートすることと
を含み、
一時価値カードを起動することは、
カードから起動情報を読み出すことと、
起動情報および特定の料金を仲介デバイスに送信することと、
仲介デバイスが少なくともいくつかの起動情報をＰＡＮに関係付けることと、
仲介デバイスが特定の料金をＰＡＮに関係付けることと、
仲介デバイスがＰＡＮおよび確認をキオスクまたは顧客に送ることと、
仲介デバイスがすべての取引の記録を維持することと
を含み、
ＰＡＮをプロバイダデバイスに送ることは、
ＰＡＮをプロバイダデバイスに送信することと、
プロバイダデバイスがＰＡＮを識別することと、
プロバイダデバイスが注文を完了することと、
プロバイダデバイスがすべての取引の記録を維持することと
を含む、請求項１６記載の方法。
【外国語明細書】
2007188475000001.pdf